(57)【要約】  エレベーターの設置後に電気機器を設置する場合の作業時間の短縮を図り、エレベーターの利用者、作業者の負担軽減を図るため、昇降路内を移動するカゴ（１０２）と、カゴ（１０２）の外側に設けられ、電源とカゴ（１０２）に設けられた負荷とを電気的に接続する端子を備えた基板と、カゴ（１０２）の内側に配置され、コンセントプラグの挿入を受け付け、基板において電源の電圧と同じ電圧が印加される端子または当該端子に接続された電力線に接続されたプラグソケット（２０５）と、を備えたエレベーターを構成した。このようなエレベーターによれば、エレベーターの設置後であっても給電可能な電気機器を、容易かつ速やかに設置することができる。
2019142259.tif 000002
【特許請求の範囲】
【請求項１】
昇降路内を移動するカゴと、
前記カゴの外側に設けられ、電源と前記カゴに設けられた負荷とを電気的に接続する端子を備えた基板と、
前記カゴの内側に配置され、コンセントプラグの挿入を受け付けるプラグソケットと、
を備え、
前記プラグソケットは、前記基板において前記電源の電圧と同じ電圧が印加される前記端子または当該端子に接続された電力線に接続されていることを特徴とするエレベーター。
【請求項２】
前記基板は、前記電源と前記カゴに設けられた負荷とを電気的に接続する継電器を備え、
前記プラグソケットは、前記継電器より前記電源側において、前記端子または当該端子に接続された電力線に接続されていることを特徴とするエレベーター。
【請求項３】
前記継電器は、前記カゴが所定時間継続して待機状態になった場合に、電路を開放することを特徴とする請求項２に記載のエレベーター。
【請求項４】
前記プラグソケットは、前記電源の電圧を当該電圧とは異なる所定の電圧に変圧するアダプタを介して前記端子または当該端子に接続された電力線に接続されていることを特徴とする請求項１〜３のいずれか一つに記載のエレベーター。
【請求項５】
前記プラグソケットは、交流を直流に変換する前記アダプタを介して前記端子または当該端子に接続された電力線に接続されていることを特徴とする請求項４に記載のエレベーター。
【発明の詳細な説明】
【技術分野】
【０００１】
この発明は、設置後に、給電を要する電気機器をカゴ内に取り付けることができるエレベーターに関する。
【背景技術】
【０００２】
近年、防犯上の観点から、カゴ内に監視カメラを取り付けたエレベーターが普及している。監視カメラは、バッテリーではなく、配線を介して給電して常時動作させることが好ましい。このため、設置時に監視カメラが取り付けられていないエレベーターの場合、エレベーターの設置後に監視カメラを取り付けるためには、カゴに孔を空け、当該孔にケーブルを通して、カゴ内の電気機器に給電していた。具体的には、従来、たとえば、配線穴と取り付け部を締結するビス用の穴とを天井に設けるようにした技術があった（たとえば、下記特許文献１を参照。）。
【先行技術文献】
【特許文献】
【０００３】
【特許文献１】特開２０１５−１６９３９号公報
【発明の概要】
【発明が解決しようとする課題】
【０００４】
しかしながら、上述した従来の技術は、エレベーターの設置後に、監視カメラなどの電気機器をカゴ内に取り付ける場合、カゴに給電用のケーブルを通すための孔を空けなくてはならず、作業が煩雑であって時間がかかるという問題があった。また、上述した従来の技術は、エレベーターの設置後にカゴ内に取り付けた電気機器を撤去した場合、ケーブルを通すためにカゴに空けた孔が露出した状態となることで美観を損ねるなどの不具合を回避するため、当該孔を塞ぐ補修作業をおこなわなくてはならず、作業が煩雑であって時間がかかるという問題があった。【０００５】
この発明は、上述した従来技術による問題点を解消するため、設置後に給電を要する電気機器をカゴ内に取り付ける場合の作業時間の短縮および作業者の負担軽減を図ることができるエレベーターを提供することを目的とする。【０００６】
また、この発明は、上述した従来技術による問題点を解消するため、設置後に給電を要する電気機器をカゴ内に取り付ける場合のエレベーターの利用者の利便性を確保することができるエレベーターを提供することを目的とする。
【課題を解決するための手段】
【０００７】
上述した課題を解決し、目的を達成するため、この発明にかかるエレベーターは、昇降路内を移動するカゴと、前記カゴの外側に設けられ、電源と前記カゴに設けられた負荷とを電気的に接続する端子を備えた基板と、前記カゴの内側に配置され、コンセントプラグの挿入を受け付けるプラグソケットと、を備え、前記プラグソケットが、前記基板において前記電源の電圧と同じ電圧が印加される前記端子または当該端子に接続された電力線に接続されていることを特徴とする。【０００８】
また、この発明にかかるエレベーターは、上記の発明において、前記基板が、前記電源と前記カゴに設けられた負荷とを電気的に接続する継電器を備え、前記プラグソケットが、前記継電器より前記電源側において、前記端子または当該端子に接続された電力線に接続されていることを特徴とする。【０００９】
また、この発明にかかるエレベーターは、上記の発明において、前記継電器が、前記カゴが所定時間継続して待機状態になった場合に、電路を開放することを特徴とする。【００１０】
また、この発明にかかるエレベーターは、上記の発明において、前記プラグソケットが、前記電源の電圧を当該電圧とは異なる所定の電圧に変圧するアダプタを介して前記端子または当該端子に接続された電力線に接続されていることを特徴とする。【００１１】
また、この発明にかかるエレベーターは、上記の発明において、前記プラグソケットが、交流を直流に変換する前記アダプタを介して前記端子または当該端子に接続された電力線に接続されていることを特徴とする。
【発明の効果】
【００１２】
この発明にかかるエレベーターによれば、設置後に給電を要する電気機器をカゴ内に取り付ける場合の作業時間の短縮および作業者の負担軽減を図ることができるという効果を奏する。【００１３】
また、この発明にかかるエレベーターによれば、設置後に給電を要する電気機器をカゴ内に取り付ける場合のエレベーターの利用者の利便性を確保することができるという効果を奏する。
【図面の簡単な説明】
【００１４】
【図１】図１は、この発明にかかる実施の形態のエレベーターの構成を示す説明図である。
【図２】図２は、カゴおよびカゴに設けられた各部の一例を示す説明図である。
【図３】図３は、基板の電気回路の構成を示すブロック図である。
【図４】図４は、プラグソケットの使用例を示す説明図である。
【図５】図５は、カゴおよびカゴに設けられた各部の別の一例を示す説明図である。
【図６】図６は、図５に示すプラグソケットの使用例を示す説明図である。
【図７】図７は、インターフォンの端末装置の呼出ボタンが操作された場合のカゴ内の状況の一例を示す説明図である。
【発明を実施するための形態】
【００１５】
以下に添付図面を参照して、この発明にかかるエレベーターの好適な実施の形態を詳細に説明する。
【００１６】
（エレベーターの構成）
まず、この発明にかかる実施の形態のエレベーターの構成について説明する。図１は、この発明にかかる実施の形態のエレベーターの構成を示す説明図である。
【００１７】
図１において、この発明にかかる実施の形態のエレベーター１００は、たとえば、ロープ式（トラクション式）のエレベーター１００によって実現することができる。エレベーター１００は、たとえば、複数階建てのビルなどの建物内に設置される。
【００１８】
エレベーター１００が備える各部は、制御盤１０１によって駆動制御される。制御盤１０１は、エレベーター１００が備える各部と接続されており、たとえば、制御盤１０１からエレベーター１００が備える各部に対する信号、いわゆる「下り信号」を出力する。また、制御盤１０１は、たとえば、エレベーター１００が備える各部から制御盤１０１に対する信号、いわゆる「上り信号」を受け付ける。
【００１９】
さらに、制御盤１０１は、インターネットなどのネットワークを介して、管理サーバコンピュータ１５０に接続されている。管理サーバコンピュータ１５０は、監視対象となるエレベーター１００が設置されている場所とは異なる、当該エレベーター１００が設置されている場所から離れた遠隔地に設置されている。管理サーバコンピュータ１５０は、たとえば、エレベーター１００の保守管理を担う保守管理会社などに設置することができる。
【００２０】
制御盤１０１は、たとえば、管理サーバコンピュータ１５０に対して、発報用の信号を送信する。制御盤１０１は、たとえば、エレベーター１００において障害を検知した場合や、エレベーター１００の運転モードが変化した場合などに、発報用の信号を出力する。また、制御盤１０１は、管理サーバコンピュータ１５０から送信される診断動作の実行指示などの各種指示を受信し、受信した指示に応じた下り信号を、エレベーター１００が備える各部に対して出力する。
【００２１】
診断動作は、制御盤１０１からエレベーター１００が備える各部に対して、当該各部を所定の順序で動作させる信号を出力し、出力した信号にしたがって当該各部が正常に動作したか否かを示す信号を制御盤１０１から管理サーバコンピュータ１５０に対して出力することによって実現される。管理サーバコンピュータ１５０は、たとえば、定期的（たとえば、月の末日が到来するごと）に診断動作の実行指示を出力する。
【００２２】
制御盤１０１と管理サーバコンピュータ１５０とを、電話回線などの公衆音声網ではなくインターネットを介して接続することにより、地震などの天災発生時などの緊急時に電話回線がパンクすることに起因して、エレベーター１００の状況把握が遅延することを回避することができる。これにより、管理サーバコンピュータ１５０を用いてエレベーター１００を遠隔監視する状況において、当該エレベーター１００の動作に不具合が生じた場合に迅速な対応をとることができる。
【００２３】
制御盤１０１は、さらに、公衆音声網に接続されていてもよい。公衆音声網は、固定電話網（公衆交換電話網）および携帯電話網を含む。公衆音声網は、電話線を収容する加入者線交換機、加入者線交換機を束ねる中継交換機、ほかの事業者の電話網と接続する関門交換機など、図示を省略する複数の交換機によって構成されている。公衆音声網については、公知の技術であるため説明を省略する。制御盤１０１を公衆音声網に接続することにより、インターフォンの端末装置（図２を参照）と管理センターとの音声通信を実現することができる。
【００２４】
エレベーター１００は、建物における各階床を、鉛直方向に沿って貫通する昇降路（図示を省略する）を備えている。昇降路は、１台のエレベーター１００に１つずつ設けられている。昇降路内には、人や物品を搭載するカゴ（乗りカゴ）１０２が設けられている。カゴ１０２は、１台のエレベーター１００、すなわち、１つの昇降路に１つずつ設けられており、昇降路の方向すなわち鉛直方向に沿って昇降移動する。カゴ１０２は、図示を省略するカゴ枠によって支持されており、当該枠とともに昇降移動する。
【００２５】
昇降路の側面には、カゴ１０２（カゴ枠）の昇降位置をガイドするガイドレール（図示を省略する）が設けられている。昇降路の底部には、万一、カゴ１０２が落下して底面に衝突したときの衝撃を和らげる緩衝器１０３が設けられている。緩衝器１０３は、バネの弾性力を利用して衝撃を和らげるバネ式の緩衝器であってもよく、油圧抵抗を利用して衝撃を和らげる油入式の緩衝器であってもよい。緩衝器１０３は、昇降路の天井面にも設けられていてもよい。
【００２６】
昇降路における各階床に対応した位置（乗り場）１０４には、それぞれ扉１０４ａが設けられている。乗り場１０４に設けられた扉１０４ａは、図示を省略するインターロックなどと称される装置で施錠されている。インターロックは、カゴ１０２が停止階に到着した状態でカゴ１０２の扉１０２ａを開閉させるモーターを駆動した場合にのみ、カゴ１０２の扉１０２ａの開閉機構とかみ合って施錠を解放する。これにより、カゴ１０２が位置する階床における乗り場１０４に設けられた扉１０４ａのみを連動して開閉することができる。
【００２７】
各乗り場１０４には、それぞれ、操作盤１０５が設置されている。操作盤１０５は、それぞれ、乗り場呼びボタン１０５ａ、カゴ１０２が位置する階床などを表示する表示器１０５ｂなどを備えている。また、操作盤１０５は、それぞれ、操作盤１０５用の制御基板１０５ｃを備えている。各操作盤１０５は、それぞれが備える制御基板１０５ｃを介して制御盤１０１に接続されている。
【００２８】
カゴ１０２は、ロープ１０６の一端に連結されている。ロープ１０６は、つるべ式に滑車（図示を省略する）および巻上機（トラクションマシン）１０７に架けられ、他端がカウンタウエイト１０８に連結されている。ロープ１０６は、具体的には、たとえば、鋼鉄製のワイヤーによって実現することができる。
【００２９】
ロープ式のエレベーター１００における巻上機１０７は、たとえば、エレベーター１００の最上部に設けられた機械室に設置される。巻上機１０７は、機械室の有無にかかわらず、エレベーター１００における最上部に設けることができる。あるいは、エレベーター１００が、機械室がないタイプである場合、巻上機１０７は、エレベーター１００における下部に設けられるものであってもよい。
【００３０】
巻上機１０７は、たとえば、インバーターを介して制御盤１０１に接続されており、カゴ１０２を停止させる階床において回転を停止するように制御盤１０１によって駆動制御される。ロープ式のエレベーター１００においては、巻上機１０７を駆動することによって発生する、ロープ１０６と滑車との間の摩擦力（トラクション）を利用して、カゴ１０２を昇降させる。
【００３１】
巻上機１０７は、図示を省略するエンコーダを備えており、制御盤１０１はエンコーダからの出力信号に基づいて、巻上機１０７の回転速度や回転位置を判断することができる。エンコーダは、たとえば、アブソリュートエンコーダを用いてもよく、インクリメンタルエンコーダを用いてもよい。
【００３２】
カゴ１０２の底部には、カウンタウエイト１０８の底部に一端が連結された重量バランス調整用のワイヤーロープ（あるいは、鎖）の他端が連結されている（図示を省略する）。これにより、たとえば、高層建築物に設置されるエレベーター１００において、ロープ１０６の重量に起因して、最上階や最下階の近辺においてカゴ１０２側とカウンタウエイト１０８側との重量のバランスの不均衡が生じてロープ１０６が巻上機１０７のシーブから滑り落ちてしまうことを確実に防止することができる。
【００３３】
また、エレベーター１００は、電磁ブレーキ１０９、調速機（ガバナマシン）１１０、リミットスイッチ１１１などを備えている。電磁ブレーキ１０９は、コイルを備え、制御盤１０１によって駆動制御されて当該コイルに通電することにより発生する電磁力を利用して、巻上機１０７の回転を停止する。電磁ブレーキ１０９は、巻上機１０７の回転を停止した状態を保持することができる。
【００３４】
電磁ブレーキ１０９は、停電などによって電源の供給が停止した場合に、巻上機１０７の回転を制止する。電磁ブレーキ１０９は、具体的には、たとえば、停電時などコイルへの通電が切れたときにスプリングの力で動作して巻上機１０７の回転を制止する無励磁作動型の電磁ブレーキ１０９を用いることができる。
【００３５】
調速機１１０は、カゴ１０２の速度超過を検出する。調速機１１０は、たとえば、ガバナロープ１１０ａ、ガバナプーリー１１０ｂ、回転錘（図示を省略する）などを備えた遠心調速機によって実現することができる。このような調速機１１０において、ガバナロープ１１０ａは、カゴ１０２の動作と連動する。ガバナプーリー１１０ｂは、ガバナロープ１１０ａの動作に連動して回転する。
【００３６】
回転錘は、ガバナプーリー１１０ｂの回転速度、すなわち、ガバナプーリー１１０ｂの回転に起因する遠心力の大きさに応じて動作する。具体的に、回転錘は、ガバナプーリー１１０ｂの回転速度が速い場合にガバナプーリー１１０ｂの外周側に開くように動作し、ガバナプーリー１１０ｂの回転速度が遅い場合にガバナプーリー１１０ｂの内周側に閉じるように動作する。
【００３７】
リミットスイッチ１１１は、巻上機１０７に対する電源の供給／遮断を切り替えるスイッチレバー（図示を省略する）を備えている。スイッチレバーは、平時は巻上機１０７に対して電源を供給する位置に位置付けられており、調速機１１０の回転錘に付勢された場合に、巻上機１０７に対する電源の供給を遮断する位置に変位する。
【００３８】
調速機１１０の回転錘は、カゴ１０２の昇降速度が、定格速度に対して一定速以上の速度になった場合に、スイッチレバーが巻上機１０７に対する電源の供給を遮断する位置に変位するように、スイッチレバーを付勢する。これにより、カゴ１０２に速度超過が発生したときに、巻上機１０７の動作を停止し、カゴ１０２を停止させることができる。
【００３９】
さらに、エレベーター１００は、図示を省略する非常停止装置を備えていてもよい。非常停止装置は、カゴ１０２の動作とガバナロープ１１０ａの動作とが異なる場合、すなわち、ガバナロープ１１０ａが停止しているにもかかわらずカゴ１０２が動作している場合に、カゴ１０２の動作を強制的に停止させる。非常停止装置は、公知の各種の技術を用いて容易に実現することができるため、説明を省略する。
【００４０】
カゴ１０２には、操作盤１０２ｂが設けられている。操作盤１０２ｂは、各種の操作ボタン２０１や、カゴ１０２が位置する階床などを表示する表示器２０２を備えている（図２を参照）。また、カゴ１０２には、扉１０２ａを開閉させるモーター、扉開閉センサ、障害物検出装置、荷重センサなどの各種のセンサ３４１（図３を参照）やブザー（図示を省略する）などが設けられている。
【００４１】
カゴ１０２の上部には、カゴ上ボックス１１２が設けられている。カゴ上ボックス１１２は、たとえば、カゴ１０２の天井板の上、すなわち、カゴ１０２の外側に設けられる。カゴ上ボックス１１２には、電源回路３１０や制御回路３２０などを備えた電気回路３００を構成する基板が収容されている（図３を参照）。
【００４２】
操作盤１０２ｂ、扉１０２ａを開閉させるモーター、扉開閉センサ、障害物検出装置、荷重センサなどの各種のセンサやブザーなど、カゴ１０２に設けられた各種の負荷は、カゴ上ボックス１１２が収容する基板の電気回路に電気的に接続されている。具体的には、カゴ１０２に設けられた各種の負荷は、たとえば、一端が当該負荷に接続された電線の他端を、電気回路が備える端子に接続することによって、電気回路に電気的に接続されている。カゴ１０２に設けられた各種の負荷と、電気回路との間には、リレーや変圧器が介在していてもよい。電気回路については、説明を後述する（図３を参照）。
【００４３】
扉１０２ａを開閉させるモーターは、正逆方向に回転可能であって、たとえば、扉１０２ａを開く際に正方向に回転し、扉１０２ａを閉める際に逆方向に回転する。扉１０２ａを開閉させるモーターは、たとえば、カゴ１０２の天井板の上に設けられている。扉開閉センサは、扉１０２ａの開閉状態を検出する。扉開閉センサは、たとえば、扉１０２ａや扉１０４ａが開状態にあるか閉状態にあるかに応じて出力が変化するマイクロスイッチや光電センサなどによって実現することができる。
【００４４】
障害物検出装置は、対をなす扉１０２ａの間における人などの物体の挟まりを検知する。具体的に、障害物検出装置は、たとえば、対をなす扉１０２ａの間に設けられて、扉１０２ａの開き方向に突出するように付勢されたセーフティーシューや、当該セーフティーシューが扉１０２ａの内側に押し込まれた場合に、対をなす扉１０２ａの間における物体の挟まりを検知したことを示す信号を出力するマイクロスイッチなどによって構成することができる。
【００４５】
荷重センサは、カゴ１０２における積載荷重を検出する。具体的に、荷重センサは、たとえば、ロードセルによって実現することができる。ロードセルは、たとえば、カゴ１０２の底部とカゴ枠との間に設けられる。ブザーは、荷重センサの検出結果に応じてブザー音を出力する。ブザーは、カゴ１０２における積載荷重（質量）が、当該カゴ１０２にかかる定格積載荷重（質量）などの所定の質量を超過した場合にブザー音を出力する。
【００４６】
（カゴ１０２およびカゴ１０２に設けられた各部の一例）
つぎに、カゴ１０２およびカゴ１０２に設けられた各部の一例について説明する。図２は、カゴ１０２およびカゴ１０２に設けられた各部の一例を示す説明図である。
【００４７】
図２において、カゴ１０２に設けられた操作盤１０２ｂは、上記のように、カゴ１０２の行先階を指定する行先階ボタンや、扉１０２ａの開閉を指示する扉開閉ボタンなどを含む操作ボタン２０１を備えている。また、操作盤１０２ｂは、カゴ１０２が位置する階床などを表示する表示器２０２を備えている。操作盤１０２ｂは、たとえば、カゴ１０２の内側の壁面であって、カゴ１０２の扉１０２ａの近傍に設けられている。
【００４８】
操作盤１０２ｂは、操作盤１０２ｂ用の制御基板（図３を参照）を備えている。操作盤１０２ｂ用の制御基板は、たとえば、操作盤１０２ｂにおいて、エレベーター１００の利用者などによる操作ボタン２０１に対する入力操作を受け付けるごとに、当該入力操作に応じた呼び信号を生成し、生成した呼び信号を出力する。また、操作盤１０２ｂ用の制御基板は、表示器２０２を制御して、カゴ１０２が位置する階床を表示したり、移動方向を表示したりする。
【００４９】
カゴ１０２には、インターフォンの端末装置２０３が設けられている。インターフォンの端末装置２０３は、呼出ボタンとマイクとスピーカーとを備えている（いずれも図示を省略する）。インターフォンの端末装置２０３におけるマイクやスピーカーは、図２に示すように、操作盤１０２ｂに一体的に組み込まれていてもよい。インターフォンの端末装置２０３は、たとえば、カゴ上ボックス１１２が収容する基板の電気回路を介して制御盤１０１に接続されている。
【００５０】
また、カゴ１０２には、カゴ１０２の内部の空間を照明する照明器具２０４や換気装置（図示を省略する）が設けられている。照明器具２０４は、たとえば、カゴ１０２の天井に設けることができ、具体的には、電球（白熱灯）や、蛍光灯、ＬＥＤ（Ｌｉｇｈｔ  Ｅｍｉｔｔｉｎｇ  Ｄｉｏｄｅ）など公知の各種の光源を用いることができる。
【００５１】
換気装置は、カゴ１０２に設けられて、カゴ１０２の内部と外部とを連通するスリット（図示を省略する）を介して、カゴ１０２内の空気を換気するファン（図示を省略する）を備えている。照明器具２０４や換気装置などの負荷も、カゴ１０２に設けられた各種の負荷と同様に、カゴ上ボックス１１２が収容する基板の電気回路に接続されている。
【００５２】
さらに、カゴ１０２には、コンセントプラグの挿入を受け付けるプラグソケット２０５が設けられている。プラグソケット２０５は、コンセントプラグが挿入される（図４を参照）ことによって当該コンセントプラグとともに配線用差込接続器を構成する。具体的には、たとえば、日本において汎用的に用いられているＡタイプのプラグソケット２０５を用いることができる。
【００５３】
プラグソケット２０５は、Ａタイプに限るものではない。具体的には、たとえば、インドやインドネシアなどにおいて広く用いられているＢ３タイプやＣタイプのプラグソケット２０５を用いてもよく、香港などにおいて広く用いられているＢＦタイプのプラグソケット２０５を用いてもよい。
【００５４】
あるいは、韓国などにおいて広く用いられているＳＥタイプのプラグソケット２０５を用いてもよく、台湾などにおいて広く用いられているＯタイプのプラグソケット２０５を用いてもよい。中国など、複数タイプのプラグソケット２０５が普及している国や地域においては、Ａタイプ、Ｂタイプ、Ｃタイプ、Ｂ３タイプ、ＢＦタイプ、ＳＥタイプ、Ｏタイプなど様々なタイプの中から、エレベーター１００を設置する地域に応じた任意のタイプのプラグソケット２０５を用いることが好ましい。
【００５５】
プラグソケット２０５は、カゴ上ボックス１１２が収容する基板の電気回路に電気的に接続されている。すなわち、プラグソケット２０５は、カゴ上ボックス１１２が収容する基板の電気回路の端子に直接結線されているものに限らず、当該端子に接続された電力線に接続されていてもよい。このような電力線にプラグソケット２０５を接続する場合、当該電力線に分岐用のコネクタを設け、当該コネクタにプラグソケット２０５を接続することができる。
【００５６】
図２に示すように、プラグソケット２０５がカゴ１０２内に露出している場合、当該プラグソケット２０５は、カゴ１０２内の高い位置に配置することが好ましい。このように、カゴ１０２内に露出したプラグソケット２０５をカゴ１０２内の高い位置に配置することにより、雨天時に傘や衣服から飛んだ水滴が付着することを防止でき、また、子供などによる悪戯をしにくくすることができる。
【００５７】
プラグソケット２０５は、１つのカゴ１０２に１つ設けられていてもよく、１つのカゴ１０２に複数設けられていてもよい。１つのカゴ１０２に複数のプラグソケット２０５を設ける場合、当該複数のプラグソケット２０５を並べて配置してもよく、複数箇所に分散して配置してもよい。
【００５８】
プラグソケット２０５は、たとえば、当該プラグソケット２０５がカゴ１０２の内壁面と同一面内に位置するように配置する。あるいは、プラグソケット２０５は、たとえば、カゴ上ボックス１１２が収容する基板の電気回路とプラグソケット２０５とを接続する電線（ケーブル）の一部とともに、カゴ１０２の内側に突出するようにして配置してもよい。
【００５９】
プラグソケット２０５を、カゴ１０２の内側に突出するようにして配置する場合、カゴ上ボックス１１２が収容する基板の電気回路とプラグソケット２０５とを接続する電線（ケーブル）を、コイルバネや引っ張りバネなどを用いて、カゴ１０２の外側へ付勢する（引っ張る）ようにしてもよい。
【００６０】
これにより、プラグソケット２０５の不使用時には当該プラグソケット２０５をカゴ１０２の内側に突出させないようにすることができる。この場合、カゴ１０２の外側へ引っ張られるプラグソケット２０５が、カゴ１０２の外側へ抜けてしまわないようにストッパ（図示を省略する）を設けることが好ましい。ストッパは、たとえば、突起などによって実現することができる。
【００６１】
（基板の電気回路の構成）
つぎに、基板の電気回路の構成について説明する。図３は、基板の電気回路の構成を示すブロック図である。図３において、基板３０１の電気回路３００は、ＡＣ電源（商用電源）に接続されている。ＡＣ電源は、たとえば、単相変圧器の中性点から引き出される中性線と２本の電圧線とを合わせた３線を用いて単相交流電力を送る単相３線式により、送電網から変電所を通して引込線に接続された引込線取付点から供給される。３線のうち中性線といずれか一方の電圧線との電圧差は１００Ｖ、２本の電圧線の電圧差は２００Ｖであるため、エレベーター１００において１００Ｖおよび２００Ｖを利用することができる。
【００６２】
電気回路３００は、基板３０１に搭載された電源回路３１０や制御回路３２０を備えている。電源回路３１０は、変圧器３１１、整流回路３１２、平滑回路３１３、定電圧回路３１４を備えている。変圧器３１１は、ＡＣ電源から入力されるＡＣ電圧を、所定のＡＣ電圧に変換する。変圧器３１１は、ＡＣ電源から入力されるＡＣ電圧を、あらかじめ設定された所定のＡＣ電圧に変換する。整流回路３１２は、変圧器３１１によって変圧されたＡＣ電圧をＤＣ電圧に変換する。
【００６３】
平滑回路（フィルタ）３１３は、整流回路３１２によって変換された、振幅のあるＤＣ電源を直線的に平滑化する。平滑回路３１３は、このような、整流回路３１２によって変換されたＤＣ電源が含むＡＣ成分（リップル）による波形の歪みを平滑化する。定電圧回路３１４は、平滑回路３１３から出力されるＤＣ電源を監視して、当該ＤＣ電源と基準となる電圧とを比較して差が生じる場合に、トランジスタの出力電圧を制御する。これにより、平滑回路３１３から出力されるＤＣ電源が、電源回路３１０に接続される負荷や環境に応じて変化するという不安定な要素を緩和することができ、出力するＤＣ電源の電圧を一定に保つことができる。
【００６４】
カゴ１０２に設けられた各負荷は、直接、あるいは、リレー（継電器）３３１、インバーター３３２、整流回路３３３、変圧器３３４などを介して、それぞれＡＣ電源に接続されている。リレー３３１は、電磁石とスイッチ（接点機構）とを備え、電磁石のコイルに通電することにより生じる電磁吸引力を利用してスイッチの開閉をおこなう。インバーター３３２は、コンバーター回路３３２ａと、コンデンサ３３２ｂと、インバーター回路３３２ｃと、を備えている。これにより、ＡＣ電源を直接、あるいは、リレー３３１、インバーター３３２などを介して各負荷に供給することができる。あるいは、整流回路によって変換したＤＣ電源を、各負荷に供給することができる。
【００６５】
ＡＣ電源、あるいは、ＡＣ電源を変圧したＤＣ電源からの電源供給を受ける負荷は、具体的には、たとえば、扉１０２ａを開閉させるモーター３４０、扉開閉センサ・障害物検出装置・荷重センサなどの各種のセンサ３４１やブザーなどの負荷によって実現することができる。また、ＡＣ電源、あるいは、ＡＣ電源を変圧したＤＣ電源からの電源供給を受ける負荷は、リレー３３１やインバーター３３２を含んでいてもよい。
【００６６】
図３においては、リップル含有率が小さく、ノイズが少ないことから非常に安定性が高いシリーズ電源にかかる電源回路３１０について説明したが、これに限るものではない。たとえば、シリーズ電源に代えて、スイッチング電源を用いてもよい。シリーズ電源に代えてスイッチング電源を用いることにより、ＡＣ入力を直接電圧変換するための大きなトランスを不要とし、電圧安定化回路の放熱を抑制して効率の低下や発熱を抑えることができ、入力電圧の許容範囲を広くすることができる。
【００６７】
制御回路３２０は、制御盤１０１やカゴ１０２に設けられた各負荷と接続されている。制御回路３２０は、制御盤１０１から出力される下り信号に応じてカゴ１０２に設けられた各負荷を駆動制御したり、カゴ１０２に設けられた各負荷からの出力信号に応じた上り信号を、制御盤１０１に出力したりする。具体的に、制御回路３２０は、それぞれバスによって接続される入力端子３２１と、出力端子３２２と、ＣＰＵ（Ｃｅｎｔｒａｌ  Ｐｒｏｃｅｓｓｉｎｇ  Ｕｎｉｔ）３２３と、メモリ３２４と、通信Ｉ／Ｆ（ＩｎｔｅｒＦａｃｅ）３２５と、によって構成することができる。
【００６８】
入力端子３２１は、制御回路３２０に接続される各負荷とＣＰＵ３２３とを接続するハードウエアインターフェースであって、制御回路３２０に接続された各負荷から出力される信号の入力を受け付け、入力を受け付けた信号をＣＰＵ３２３に出力する。また、入力端子３２１は、制御盤１０１と接続されている。
【００６９】
具体的に、入力端子３２１は、たとえば、操作盤１０２ｂ用の制御基板３０３から出力される呼び信号や、扉開閉センサなどの各種センサから出力される信号など、上り信号の入力を受け付ける。また、具体的に、入力端子３２１は、制御盤１０１から出力される下り信号の入力を受け付け、入力を受け付けた信号をＣＰＵ３２３に出力する。
【００７０】
出力端子３２２は、制御回路３２０に接続された各負荷とＣＰＵ３２３とを接続するハードウエアインターフェースであって、ＣＰＵ３２３から出力される信号を制御回路３２０に接続された各負荷に出力する。また、出力端子３２２は、制御盤１０１と接続されており、各負荷から出力された信号に基づいてＣＰＵ３２３から出力される信号を、制御盤１０１に出力する。
【００７１】
具体的に、出力端子３２２は、たとえば、制御盤１０１から出力された制御用の下り信号に基づいてＣＰＵ３２３から出力された信号を、カゴ１０２の扉１０２ａや乗り場１０４の扉１０４ａを開閉させるモーター３４０に対して出力する。カゴ１０２の扉１０２ａや乗り場１０４の扉１０４ａを開閉させるモーター３４０は、インバーター３３２を介して、制御回路３２０に接続されていてもよい。これにより、カゴ１０２の扉１０２ａや乗り場１０４の扉１０４ａをなめらかに開閉させることができる。
【００７２】
また、具体的に、出力端子３２２は、たとえば、扉開閉センサなどの各種センサ３４１から出力される信号に基づいてＣＰＵ３２３から出力された信号を、制御盤１０１に対して出力する。また、具体的に、出力端子３２２は、たとえば、リレー３３１やインバーター３３２を介して、照明器具２０４と接続されている。
【００７３】
ＣＰＵ３２３は、カゴ１０２に設けられて、制御回路３２０に接続された各負荷を制御する。メモリ３２４は、制御盤１０１との通信や、カゴ１０２に設けられた各負荷の制御に用いるプログラムやデータなどを記憶している。ＣＰＵ３２３は、たとえば、入力端子３２１を介して入力された信号に基づいて、メモリ３２４に記憶されたプログラムやデータなどを用いた演算処理をおこなう。また、ＣＰＵ３２３は、たとえば、演算処理の結果に基づく信号を、出力端子３２２を介して、制御盤１０１やカゴ１０２に設けられた各負荷に出力する。
【００７４】
具体的に、ＣＰＵ３２３は、たとえば、制御盤１０１から出力され入力端子３２１を介して受け付けた下り信号に基づいて、カゴ１０２の扉１０２ａや乗り場１０４の扉１０４ａを開閉させるモーター３４０を制御する制御信号を出力端子３２２を介して出力することにより、当該モーター３４０を制御する。これにより、モーター３４０を駆動して、カゴ１０２の扉１０２ａや乗り場１０４の扉１０４ａを開閉させることができる。
【００７５】
また、具体的に、ＣＰＵ３２３は、たとえば、制御盤１０１から出力され入力端子３２１を介して入力を受け付けた信号に基づいて、カゴ１０２が位置する階床やカゴ１０２の走行方向（上昇中か下降中か）を表示器２０２において表示させる信号を生成し、生成した信号を、出力端子３２２を介して、操作盤１０２ｂ用の制御基板３０３に対して出力する。これにより、表示器２０２において、カゴ１０２が位置する階床やカゴ１０２の走行方向を表示させることができる。
【００７６】
また、具体的に、ＣＰＵ３２３は、たとえば、扉開閉センサから出力され入力端子３２１を介して入力を受け付けた信号に基づいて、カゴ１０２の扉１０２ａや乗り場１０４の扉１０４ａの開閉状態を示す信号を生成し、生成した信号を、出力端子３２２を介して制御盤１０１に対して出力する。これにより、制御盤１０１において、カゴ１０２の扉１０２ａや乗り場１０４の扉１０４ａの開閉状態を認識することができ、カゴ１０２の扉１０２ａや乗り場１０４の扉１０４ａの開閉状態が確実に閉まっている状態で巻上機１０７を駆動することができる。
【００７７】
また、具体的に、ＣＰＵ３２３は、たとえば、扉開閉センサから出力され入力端子３２１を介して入力を受け付けた信号に基づいて、カゴ１０２が所定時間継続して動作していない、すなわち、待機状態が所定時間継続したと判断した場合、出力端子３２２を介してリレー３３１やインバーター３３２に対して制御信号を出力し、操作盤１０２ｂ、照明器具２０４、換気装置への電力の供給を停止して、節電状態とする。
【００７８】
通信Ｉ／Ｆ３２５は、ＣＰＵ３２３と制御盤１０１とのインターフェースをつかさどり、ＣＰＵ３２３と制御盤１０１との間におけるデータの入出力を制御する。通信Ｉ／Ｆ３２５は、たとえば、制御盤１０１から出力される下り信号をＣＰＵ３２５に出力したり、ＣＰＵ３２５から出力される信号を上り信号として制御盤１０１に出力したりする。
【００７９】
プラグソケット２０５は、電気回路３００において、ＡＣ電源をカゴ１０２に設けられた負荷に供給する電路に接続されている。プラグソケット２０５は、ＡＣ電源の電圧と同じ電圧が印加される電路に接続されている。電気回路３００における電路には、複数の端子３０２が設けられている。プラグソケット２０５は、たとえば、このような端子３０２のうち、ＡＣ電源の電圧と同じ電圧が印加される端子３０２に接続する。あるいは、プラグソケット２０５は、たとえば、このような端子３０２のうち、ＡＣ電源の電圧と同じ電圧が印加される端子３０２に接続された電力線に接続してもよい。
【００８０】
具体的に、たとえば、ＡＣ電源の電圧が１００Ｖである場合、プラグソケット２０５は１００Ｖの電圧が印加されている端子３０２や電力線に接続する。また、たとえば、ＡＣ電源の電圧が２００Ｖである場合、プラグソケット２０５は２００Ｖの電圧が印加されている端子３０２や電力線に接続する。これにより、プラグソケット２０５を介して接続される電気機器に対して、１００Ｖや２００Ｖの電圧で給電することができる。
【００８１】
また、プラグソケット２０５は、ＡＣ電源の電圧と同じ電圧が印加される電力線において、リレー３３１よりＡＣ電源側に接続されている。これにより、プラグソケット２０５を介して接続される電気機器に対して、ＡＣ電源の電圧と同じ電圧を供給することができる。
【００８２】
プラグソケット２０５は、ＡＣ電源の電圧を当該電圧とは異なる所定の電圧に変圧するアダプタを介して電気回路３００に接続されていてもよい。この場合、アダプタは、交流を直流に変換する整流機能を備えていてもよい。
【００８３】
（プラグソケット２０５の使用例）
つぎに、プラグソケット２０５の使用例について説明する。図４は、プラグソケット２０５の使用例を示す説明図である。図４に示すように、プラグソケット２０５が、カゴ１０２の内側に配置されているため、エレベーター１００の設置後に、たとえば、カゴ１０２の内側を監視する監視カメラを電気機器４０１として、容易に設置することができる。
【００８４】
あるいは、電気機器４０１は、ディスプレイを備えた端末装置によって実現してもよい。近年、防犯上の観点から各階床に監視カメラを設置しているエレベーター１００が存在している。このようなエレベーター１００において、このようなディスプレイを備えた端末装置である電気機器４０１を、プラグソケット２０５を介して接続し、カゴ１０２内に取り付けることにより、カゴ１０２が停止する予定の階床の画像をカゴ１０２内に表示することができる。
【００８５】
また、図４に示すように、プラグソケット２０５を、カゴ１０２内の高い位置に配置することにより、雨天時に傘や衣服から飛んだ水滴が付着したり、子供による悪戯を防止することができる。
【００８６】
（カゴ１０２およびカゴ１０２に設けられた各部の別の一例）
つぎに、カゴ１０２およびカゴ１０２に設けられた各部の別の一例について説明する。図５は、カゴ１０２およびカゴ１０２に設けられた各部の別の一例を示す説明図である。
【００８７】
上述した図２においては、プラグソケット２０５がカゴ１０２内において露出している態様について説明したが、プラグソケット２０５の配置は、別の態様であってもよい。具体的には、図５に示すように、カゴ１０２の壁面にカバー５０１を設け、当該カバー５０１によってプラグソケット２０５を覆うようにしてもよい。これにより、プラグソケット２０５に電気機器４０１を接続しない場合は、当該プラグソケット２０５をカバー５０１で覆い、掃除などに際してプラグソケット２０５に水分や異物が入ることに起因する故障を効果的に防止することができる。
【００８８】
このようなカバー５０１を設ける場合、プラグソケット２０５は、たとえば、図５に示すように、エレベーター１００の利用者の手が容易に届く高さに設けることが好ましい。プラグソケット２０５をエレベーター１００の利用者の手が容易に届く高さに設けることにより、利用者に対して、プラグソケット２０５を利用しやすくすることができる。
【００８９】
また、カバー５０１は、ロック機構を備えていてもよい。ロック機構は、鍵を差し込むことによって解錠／施錠する構成であってもよく、ＣＰＵ３２３の制御によって解錠／施錠する構成であってもよい。ＣＰＵ３２３の制御によってカバー５０１を解錠／施錠するロック機構は、具体的には、たとえば、ソレノイドロックによって実現することができる。
【００９０】
ＣＰＵ３２３によりロック機構を制御することによってカバー５０１を解錠／施錠する構成においては、所定の条件が整った場合にのみ、ロック機構によるカバー５０１の施錠を解除（解錠）するようにしてもよい。具体的に、たとえば、ソレノイドロックにおいては、所定の条件が整った場合にのみ、ソレノイドロックが備えるソレノイドへの通電のＯＮ／ＯＦＦを切り替えることにより、所定の条件が整った場合にのみロック機構によるカバー５０１の施錠を解除（解錠）することができる。
【００９１】
より具体的には、ＣＰＵ３２３は、たとえば、操作盤１０２ｂに対して所定の操作がおこなわれた場合や、エレベーター１００の状態や管理サーバコンピュータ１５０から所定の指示に応じて制御盤１０１からロック解除を指示する下り信号を受け付けた場合にのみ、ソレノイドへの通電のＯＮ／ＯＦＦを切り替えて、ロック機構によるカバー５０１の施錠を解除することができる。
【００９２】
また、カバー５０１にロック機構を設ける場合、カバー５０１を開く方向に付勢するバネなどの付勢部材をさらに設け、ロック機構によるロックの解除に応じてカバー５０１が開くようにしてもよい。これにより、プラグソケット２０５が有効に使用できること、すなわち、給電を受けることができることを、容易かつ確実に知らせることができる。
【００９３】
このように、ＣＰＵ３２３の制御によって施錠／解錠するロック機構をカバー５０１に設けることにより、プラグソケット２０５をエレベーター１００の利用者の手が容易に届く高さに設ける場合にも、プラグソケット２０５に対する悪戯などを防止することができる。
【００９４】
（プラグソケット２０５の使用例）
つぎに、図５に示すプラグソケット２０５の使用例について説明する。図６は、図５に示すプラグソケット２０５の使用例を示す説明図である。図５に示すように、プラグソケット２０５を保護するカバー５０１を設けることにより、たとえば、地震に起因して、利用者６００がカゴ１０２内にいる状態でエレベーター１００の動作が停止した際などの非常時に、利用者６００の携行するスマートフォンやタブレット端末などの電気機器４０１に給電することができる。これにより、利用者は安心して救助を待つことができ、利用者の利便性の向上を図ることができる。
【００９５】
また、カゴ１０２内に複数のプラグソケット２０５を設けることにより、複数の利用者が同時に各自の携行するスマートフォンやタブレット端末などの電気機器４０１に給電することができる。これにより、複数の利用者６００がカゴ１０２内にいる状態でエレベーター１００の動作が停止した際などの非常時にも、各利用者を安心させ、救助を待たせることができ、利用者の利便性の向上を図ることができる。
【００９６】
なお、エレベーター１００は、インターフォンの端末装置２０３の呼出ボタンが操作された場合に、当該操作をおこなった利用者６００と保守管理会社などにおいて待機するオペレーターとの間における直接通話（直話）を実現する音声通信用の回路（図示を省略）を備えている。音声通信用の回路は、ＣＰＵ、メモリ、音声通信用のＩ／Ｆ、各種の入出力端子などを備え、公衆音声網などのネットワークに接続されている。
【００９７】
音声通信用の回路は、インターフォンの端末装置２０３の呼出ボタンが操作されたことに応じて当該インターフォンの端末装置２０３から出力される直話要求を受け付けた場合、保守管理会社などにおいて待機するオペレーターに対する発呼（架電）をおこなう。音声通信用の回路は、インターフォンの端末装置２０３（エレベーター１００）と保守管理会社などに設置されたＰＢＸ（Ｐｒｉｖａｔｅ  Ｂｒａｎｃｈ  ｅＸｃｈａｎｇｅ：構内交換機）などとの間における音声通信にかかるインターフェースをつかさどる。カゴ１０２内の利用者６００の発話はマイクを介してオペレーターに伝わり、オペレーターの発話はスピーカーを介して利用者６００に伝えられる。これにより、たとえば、利用者６００がカゴ１０２内にいる状態でエレベーター１００の動作が停止した際に、当該利用者６００とオペレーターとの直話を実現することができる。
【００９８】
このようなエレベーター１００においては、インターフォンの端末装置２０３の呼出ボタンが操作された場合に、直話要求を、音声通信用の回路に加えて、制御回路３２０に出力してもよい。この場合、制御回路３２０は、直話要求が入力端子３２１を介してＣＰＵ３２３にされると、通信Ｉ／Ｆ３２５を介して管理サーバコンピュータ１５０に対する発報信号を出力する。
【００９９】
管理サーバコンピュータ１５０は、インターフォンの端末装置２０３の呼出ボタンが操作されたことに応じた発報信号を受信すると、当該発報信号の送信元となるエレベーター１００に対して、当該発報信号の送信元となるエレベーター１００から出力された発呼（架電）を着信したオペレーターの画像を送信する。制御回路３２０は、オペレーターの画像を受信すると、受信した画像を、出力端子３２２を介して操作盤１０２ｂ用の制御基板３０３に出力する。操作盤１０２ｂ用の制御基板３０３は、制御回路３２０から出力された画像を表示器２０２に出力（表示）する。
【０１００】
図７は、インターフォンの端末装置２０３の呼出ボタンが操作された場合のカゴ１０２内の状況の一例を示す説明図である。図７に示すように、インターフォンの端末装置２０３の呼出ボタンが操作された場合、表示器２０２に、オペレーターの画像７０１が表示される。この場合、カゴ１０２内の利用者６００の映像は、たとえば、プラグソケット２０５に接続された電気機器４０１である監視カメラから取得して、管理サーバコンピュータ１５０に送信してもよい。これにより、管理サーバコンピュータ１５０とエレベーター１００との間で音声および画像による双方向通信をおこなうことができる。これにより、オペレーターと利用者６００との間で確実な情報の伝達をおこなうことができ、早期の救助が必要な利用者６００をより確実に救出することができる。
【０１０１】
表示器２０２が液晶ディスプレイなどのような任意の画像７０１を表示できる形式ではなく量子ドットディスプレイなどの場合は、たとえば、タブレット端末などのように、液晶ディスプレイや有機ＥＬ（Ｅｌｅｃｔｒｏ−Ｌｕｍｉｎｅｓｃｅｎｃｅ）ディスプレイを備えた、端末装置をカゴ１０２に取り付け、当該端末装置にオペレーターの画像７０１を表示するようにしてもよい。この場合、端末装置がマイクやカメラを備える場合は、当該端末装置が取得した音声や画像による双方向通信をおこなうことができる。これによっても、オペレーターと利用者６００との間で確実な情報の伝達をおこなうことができ、早期の救助が必要な利用者６００をより確実に救出することができる。
【０１０２】
このように、インターフォンの端末装置２０３の呼出ボタンが操作された場合は、エレベーター１００からオペレーターへの架電をおこなうとともに、当該操作に応じた発報信号を管理サーバコンピュータ１５０に対して出力することにより、直話に加えて、カゴ１０２内の利用者６００に対して、対応しているオペレーターの画像を見せることにより、動作が停止したカゴ１０２内にいる利用者を安心させることができる。そして、これにより、利用者６００に安心して救助を待たせることができるので、利用者の利便性の向上を図ることができる。
【０１０３】
以上説明したように、この発明にかかる実施の形態のエレベーター１００は、昇降路内を移動するカゴ１０２と、カゴ１０２の外側に設けられ、ＡＣ電源とカゴ１０２に設けられた負荷とを電気的に接続する端子３０２を備えた基板３０１と、カゴ１０２の内側に配置され、コンセントプラグの挿入を受け付けるプラグソケット２０５と、を備え、プラグソケット２０５が、基板３０１においてＡＣ電源の電圧と同じ電圧が印加される端子３０２または当該端子３０２に接続された電力線に接続されていることを特徴としている。
【０１０４】
この発明にかかる実施の形態のエレベーター１００によれば、エレベーター１００の設置後であっても給電を要する電気機器４０１を、容易かつ速やかに設置することができるので、電気機器４０１を設置する作業者の負担軽減を図ることができる。これにより、エレベーター１００の設置後に、給電を要する電気機器４０１を取り付ける場合の作業時間の短縮を図り、エレベーター１００の利用者、作業者の負担軽減を図ることができる。
【０１０５】
また、この発明にかかる実施の形態のエレベーター１００によれば、作業時間の短縮を図ることにより、作業のためにエレベーター１００が使用できない時間を短くすることができる。これにより、エレベーター１００の利用者の利便性が低下することを抑制して、利用者の利便性を確保することができる。
【０１０６】
また、カゴ１０２にプラグソケット２０５を設けておくことにより、エレベーター１００の設置後にカゴ１０２内に設置した電気機器４０１を撤去する場合は、孔の埋め戻し作業などをおこなうことなく、当該電気機器４０１を取り外すだけでよい。これによって、電気機器４０１を容易かつ速やかに撤去することができる。
【０１０７】
また、この発明にかかる実施の形態のエレベーター１００は、基板３０１が、ＡＣ電源とカゴ１０２に設けられた負荷とを電気的に接続するリレー（継電器）３３１を備え、プラグソケット２０５が、リレー３３１よりＡＣ電源側において端子３０２または当該端子３０２に接続された電力線に接続されていることを特徴としている。
【０１０８】
この発明にかかる実施の形態のエレベーター１００によれば、プラグソケット２０５を介して接続された電気機器に対しては、リレー３３１の動作状態にかかわらず、給電を要する電気機器４０１に対して常時給電することができる。また、エレベーター１００の設置後であっても、カゴ１０２に孔を空けることなく、給電を要する電気機器４０１をカゴ１０２内に取り付けて使用することができる。
【０１０９】
これにより、エレベーター１００の設置後であっても、防犯カメラなどのように常時稼動させておくことが好ましい電気機器４０１を、カゴ１０２内の美観を損なうことなく、容易かつ速やかに設置することができる。
【０１１０】
そして、これによって、設置後のエレベーター１００におけるカゴ１０２内に、給電を要する電気機器４０１を取り付ける作業者の負担軽減を図るとともに、作業時間の短縮を図ることができる。また、これによって、作業のためにエレベーター１００が使用できない時間を短くすることができ、エレベーター１００の利用者の利便性が低下することを抑制して、利用者の利便性を確保することができる。
【０１１１】
また、この発明にかかる実施の形態のエレベーター１００は、リレー３３１が、カゴ１０２が所定時間継続して待機状態になった場合に、電路を開放することを特徴としている。
【０１１２】
この発明にかかる実施の形態のエレベーター１００によれば、リレー３３１のＯＮ／ＯＦＦ切り替えによって停止する省エネ設計のエレベーターであっても、プラグソケット２０５を介して接続された電気機器に対しては、リレー３３１の動作状態にかかわらず、給電を要する電気機器４０１に対して常時給電することができる。
【０１１３】
これにより、エレベーター１００の設置後であっても、防犯カメラなどのように常時稼動させておくことが好ましい電気機器４０１を、カゴ１０２内の美観を損なうことなく、容易かつ速やかに設置することができ、設置後のエレベーター１００におけるカゴ１０２内に、給電を要する電気機器４０１を取り付ける作業者の負担軽減を図るとともに、作業時間の短縮を図ることができる。また、作業のためにエレベーター１００が使用できない時間を短くすることができ、エレベーター１００の利用者の利便性が低下することを抑制して、利用者の利便性を確保することができる。
【０１１４】
また、この発明にかかる実施の形態のエレベーター１００は、プラグソケット２０５が、ＡＣ電源の電圧を当該電圧とは異なる所定の電圧に変圧するアダプタを介して、端子３０２または当該端子３０２に接続された電力線に接続されていてもよい。
【０１１５】
この発明にかかる実施の形態のエレベーター１００によれば、変圧機能を備えていない電気機器４０１をプラグソケット２０５に接続して使用することができる。これにより、エレベーター１００の設置後であっても、変圧のためのアダプタなどの機器を別途用意することなく、給電を要する電気機器４０１を容易かつ速やかにカゴ１０２内に取り付けて使用することができ、当該電気機器４０１に適した電圧を印加することができる。
【０１１６】
また、この発明にかかる実施の形態のエレベーター１００によれば、後付けのアダプタを利用することができるので、給電の規格の異なる国や地域ごとにプラグソケット２０５の仕様を変更することなく、エレベーター１００の設置後であっても、幅広い種類の電気機器４０１を容易かつ速やかにカゴ１０２内に設置して使用することができる。
【０１１７】
これにより、電気機器４０１を設置する作業者の負担軽減を図るとともに、エレベーターの開発や設計にかかるコスト上昇やエレベーターの利用者の利便性の低下を抑えることができる。
【０１１８】
また、この発明にかかる実施の形態のエレベーター１００においては、交流を直流に変換するアダプタを介して、端子３０２または当該端子３０２に接続された電力線に接続されていることを特徴としている。
【０１１９】
この発明にかかる実施の形態のエレベーター１００によれば、整流機能を備えていない電気機器をコネクタに接続して使用することができる。近年は直流によって動作する電子回路によって制御される電気機器が多く、コネクタから直流を出力することによって、エレベーターの設置後におけるこのような電気機器の設置を容易かつ速やかにおこなうことができる。
【０１２０】
また、この発明にかかる実施の形態のエレベーター１００によれば、エレベーター１００の設置後であっても、整流のためのアダプタなどの機器を別途用意することなく、容易かつ速やかに電気機器を設置して使用することができるので、カゴ１０２内にアダプタが露出することによるカゴ内の美観低下を回避できる。
【０１２１】
また、この発明にかかる実施の形態のエレベーター１００によれば、たとえば、地震に起因してエレベーター１００の動作が停止したカゴ１０２内に利用者６００が閉じ込められてしまった場合にも、救助を待つ間、利用者６００の携行するスマートフォンやタブレット端末に給電させることが可能になる。これにより、利用者は安心して救助を待つことができ、利用者の利便性の向上を図ることができる。
【産業上の利用可能性】
【０１２２】
以上のように、この発明にかかるエレベーターは、給電を要する電気機器を設置することができるエレベーターに有用であり、特に、エレベーターの設置後に給電を要する電気機器を設置することができるエレベーターに適している。
【符号の説明】
【０１２３】
１００  エレベーター
１０２  カゴ
２０５  プラグソケット
３００  電気回路
３０１  基板
３０２  端子
【図１】
2019142259.tif 000003
【図２】
2019142259.tif 000004
【図３】
2019142259.tif 000005
【図４】
2019142259.tif 000006
【図５】
2019142259.tif 000007
【図６】
2019142259.tif 000008
【図７】
2019142259.tif 000009
【手続補正書】
【提出日】平成30年3月7日(2018.3.7)
【手続補正１】
【補正対象書類名】特許請求の範囲
【補正対象項目名】全文
【補正方法】変更
【補正の内容】
【特許請求の範囲】
【請求項１】
昇降路内を移動するカゴと、
前記カゴの外側に設けられ、電源と前記カゴに設けられた負荷とを電気的に接続する端子を備えた基板と、
前記カゴの内側に配置され、コンセントプラグの挿入を受け付けるプラグソケットと、
を備え、
前記プラグソケットは、前記基板において前記電源の電圧と同じ電圧が印加される前記端子または当該端子に接続された電力線に接続されており、
前記基板は、前記電源と前記カゴに設けられた負荷とを電気的に接続する継電器を備え、
前記プラグソケットは、前記継電器より前記電源側において、前記端子または当該端子に接続された電力線に接続されていることを特徴とするエレベーター。
【請求項２】
前記プラグソケットは、前記電源の電圧を当該電圧とは異なる所定の電圧に変圧するアダプタを介して前記端子または当該端子に接続された電力線に接続されていることを特徴とする請求項１に記載のエレベーター。
【請求項３】
前記プラグソケットは、交流を直流に変換する前記アダプタを介して前記端子または当該端子に接続された電力線に接続されていることを特徴とする請求項２に記載のエレベーター。
【国際調査報告】
2019142259.tif 000010
2019142259.tif 000011
2019142259.tif 000012
2019142259.tif 000013